(57)【要約】【課題】製造コストを低下でき、しかも容易に設営・撤収できる利便性を損なうことがない組立式テントの骨組を提供する。【解決手段】設営状態で、支柱材１と屋根材２とから構成された門状部Ｇに接続されて水平方向に延びる連結材３を備え、門状部Ｇには門状部側接続部Ｇ１が設けられ、連結材３には連結材側接続部３１ｂが設けられており、各接続部Ｇ１，３１ｂ同士は着脱可能とされており、各接続部Ｇ１，３１ｂには、連結材側接続部３１ｂが門状部側接続部Ｇ１に取り付けられた状態で抜けないようにするための抜け止め部が設けられており、門状部Ｇと連結材３とが接続された際には、各接続部Ｇ１，３１ｂ同士が相対的に水平・垂直方向へと移動不能とされており、この際、屋根材２をテントの設置面から持ち上げることにより、支柱材１がその自重で折り畳み状態における位置から垂直方向を向くように回動する組立式テントの骨組を提供する。【選択図】図２
0003133911.tif 000002
【実用新案登録請求の範囲】
【請求項１】
パイプ材が組み合わされてなる組立式テントの骨組において、
少なくとも支柱材（１）、屋根材（２）、連結材（３）を備えており、
支柱材（１）はテント設営状態にて垂直方向に延びるものであり、
屋根材（２）は組立式テントの天幕を支持するものであり、
平行に設けられた２本の上記支柱材（１，１）と、これら各支柱材のテント設営状態における上端部を結ぶ上記屋根材（２）とが同一平面内で組み合わされた門状部（Ｇ）が構成されており、
この門状部（Ｇ）における、上記支柱材（１）と上記屋根材（２）との間に回動ジョイント部（Ｊａ）が設けられたことにより、上記支柱材（１）と上記屋根材（２）とを重ね合わせるようにこの門状部（Ｇ）を折り畳むことができ、
上記回動ジョイント部（Ｊａ）は、上記支柱材（１）と上記屋根材（２）とを上記同一平面内にて回動可能に接続するものであり、
上記支柱材（１）は、上記回動ジョイント部（Ｊａ）により、折り畳み状態からテント設営状態に至るまでに、少なくとも水平方向から垂直方向へと方向を転換することができ、
上記連結材（３）はテント設営状態で上記門状部（Ｇ）に接続されて、平行に設けられた複数の門状部（Ｇ〜Ｇ）同士の間隔を保つもので、水平方向に延びるように設けられたものであり、
上記門状部（Ｇ）には門状部側接続部（Ｇ１）が設けられ、上記連結材（３）には連結材側接続部（３１ｂ）が設けられており、
上記各接続部（Ｇ１，３１ｂ）同士が着脱可能とされており、
上記各接続部（Ｇ１，３１ｂ）には、上記連結材側接続部（３１ｂ）が上記門状部側接続部（Ｇ１）に取り付けられた状態で抜けないようにするための抜け止め部が設けられており、
上記門状部（Ｇ）と上記連結材（３）とが接続された際には、上記各接続部（Ｇ１，３１ｂ）同士が相対的に水平・垂直方向へと移動不能とされており、
この際、上記屋根材（２）をテントの設置面から持ち上げることにより、上記支柱材（１）がその自重で上記折り畳み状態における位置から垂直方向を向くように回動することを特徴とする、組立式テントの骨組。
【請求項２】
上記門状部側接続部（Ｇ１）が、上記門状部（Ｇ）と一体とされており、テント設営状態で上下方向あるいは斜め方向に延びるように設けられた筒状の部分であって、少なくとも同状態での上端部が開口部（Ｇ１１）とされており、
上記連結材側接続部（３１ｂ）が、上記連結材（３）の、テント設営状態にて水平方向に延びるように配置される梁部分（３１ａ）の両端部に、この梁部分（３１ａ）に対して直交するように設けられた部分であり、
この連結材側接続部（３１ｂ）が上記開口部（Ｇ１１）から上記門状部側接続部（Ｇ１）に差込可能とされたことを特徴とする、請求項１に記載の組立式テントの骨組。
【請求項３】
上記門状部側接続部（Ｇ１）が円筒状体であり、
上記連結材側接続部（３１ｂ）が円形断面を有するものであって、外径は上記門状部側接続部（Ｇ１）の内径よりも小さく、
上記門状部側接続部（Ｇ１）は、上記円筒状体の延びる方向に沿うものであり、テント設営状態における上端部から下方あるいは斜め下方へと延びる門状部側スリット（Ｇ１２）を有し、この門状部側接続部（Ｇ１）の外周面に沿って回動可能とされた抜け止めリング（Ｇ１３）を備えており、
上記抜け止めリング（Ｇ１３）には、テント設営状態における上端部から下端部へと貫通しており、上記門状部側スリット（Ｇ１２）の周方向寸法と同一か、あるいはそれよりも大きい周方向寸法を有するリング側スリット（Ｇ１３１）が設けられており、
上記連結材側接続部（３１ｂ）の側面には、上記門状部側スリット（Ｇ１２）よりも周方向における寸法が小さい係止用突起（３１１）が設けられており、
上記係止用突起（３１１）の、上記連結材側接続部（３１ｂ）の径方向中心からの突出寸法が、少なくとも、上記抜け止めリング（Ｇ１３）の外周面における半径寸法よりも大きいものであり、
上記抜け止め部が、上記の門状部側スリット（Ｇ１２）、抜け止めリング（Ｇ１３）、係止用突起（３１１）の各々からなることを特徴とする、請求項２に記載の組立式テントの骨組。
【請求項４】
上記屋根材（２)が、テント設営状態にて上記支柱材（１）の上端から斜め上方に延びる２本の屋根パイプ材（２１，２１）からなり、上記屋根パイプ材（２１，２１）同士の間に回動ジョイント部（Ｊｂ）が設けられたことにより、上記屋根パイプ材（２１，２１）同士が上記同一平面内にて回動可能に接続されており、
上記門状部側接続部（Ｇ１）は、各門状部（Ｇ）における上記回動ジョイント部（Ｊａ）と、上記屋根材（２）における上記回動ジョイント部（Ｊｂ）とに設けられたものであり、
上記連結材（３）が、上記支柱材（１）に設けられた門状部側接続部（Ｇ１）に対して取り付けられた下側連結材（３ａ）と、上記屋根材（２）における回動ジョイント部（Ｊｂ）に設けられた門状部側接続部（Ｇ１）に対して取り付けられた上側連結材（３ｂ）とからなり、
上記門状部（Ｇ）に横梁材（４）が取り付けられたものであり、
この横梁材（４）は、上記支柱材（１）に直交し、テント設営状態にある２本の上記支柱材（１，１）の各上端部を結ぶように配置されたものであり、上記支柱材（１，１）に対して回動可能に接続されており、
門状部（Ｇ）が折り畳まれた状態にて、上記支柱材（１）、屋根材（２）、横梁材（４）の各々が重ね合わされることを特徴とする、請求項１〜３のいずれかに記載の組立式テントの骨組。
【請求項５】
上記門状部（Ｇ）と横梁材（４）とは、上記回動ジョイント部（Ｊａ）にて回動可能に接続されており、
上記横梁材（４）には、当該横梁材（４）を構成するパイプ材を二つ折りできる回動ジョイント（４４）が設けられており、
上記門状部（Ｇ）が折り畳まれた状態にて、上記横梁材（４）もまた折り畳まれた状態となり、
その際、重ね合わされた状態にある上記支柱材（１）、屋根材（２）、横梁材（４）の一群の一方側に上記門状部（Ｇ）における回動ジョイント部（Ｊａ）が配位され、
同他方側に上記屋根材（２）における上記回動ジョイント部（Ｊｂ）及び上記横梁材（４）の回動ジョイント（４４）が配位されることを特徴とする、請求項４に記載の組立式テントの骨組。
【請求項６】
上記屋根材（２)が、テント設営状態にて上記支柱材（１）の上端から斜め上方に延びる２本の屋根パイプ材（２１，２１）からなり、上記屋根パイプ材（２１，２１）同士の間に回動ジョイント部（Ｊｂ）が設けられたことにより、上記屋根パイプ材（２１，２１）同士が上記同一平面内にて回動可能に接続されており、
上記門状部側接続部（Ｇ１）は、各門状部（Ｇ）における上記回動ジョイント部（Ｊａ）と、上記屋根材（２）における上記回動ジョイント部（Ｊｂ）とに設けられたものであり、
上記連結材（３）が、上記支柱材（１）に設けられた門状部側接続部（Ｇ１）に対して取り付けられた下側連結材（３ａ）と、上記屋根材（２）における回動ジョイント部（Ｊｂ）に設けられた門状部側接続部（Ｇ１）に対して取り付けられた上側連結材（３ｂ）とからなり、
上記連結材（３）が、平行する２本のパイプ材（３２，３２）と、これら各パイプ材（３２，３２）を結び、各パイプ材（３２，３２）の延びる方向と交わる方向に延びる補強材（３３）とを備えたトラス構造とされており、
上記門状部（Ｇ）に横梁材（４）が取り付けられたものであり、
この横梁材（４）は、上記支柱材（１）に直交し、テント設営状態にある２本の上記支柱材（１，１）の各上端部を結ぶように配置されたものであって、平行する２本のパイプ材（４１，４１）と、これら各パイプ材（４１，４１）を結び、各パイプ材（４１，４１）の延びる方向と交わる方向に延びる補強材（４２）とを備えたトラス構造とされており、
上記門状部（Ｇ）には門状部側接続部（Ｇ１）が設けられており、上記横梁材（４）には横梁材側接続部（４３）が設けられており、
上記各接続部（Ｇ１，４３）同士は着脱可能とされており、上記門状部（Ｇ）と上記横梁材（４）とが接続された際には上記各接続部（Ｇ１，４３）同士が相対的に水平・垂直方向へと移動不能とされたことを特徴とする、請求項１〜３のいずれかに記載の組立式テントの骨組。
【請求項７】
上記門状部（Ｇ）における一方側の支柱材（１ａ）よりも他方側の支柱材（１ｂ）の方が長く、
上記門状部側接続部（Ｇ１）は、各門状部（Ｇ）における上記回動ジョイント部（Ｊａ）に設けられたものであり、
上記連結材（３）が、上記短い方の支柱材（１ａ）に設けられた門状部側接続部（Ｇ１）に対して取り付けられた下側連結材（３ａ）と、上記長い方の支柱材（１ｂ）に設けられた門状部側接続部（Ｇ１）に対して取り付けられた上側連結材（３ｂ）とからなり、
上記屋根材（２）及び連結材（３ａ，３ｂ）の各々が、平行する２本のパイプ材と、これら各パイプ材を結び、各パイプ材の延びる方向と交わる方向に延びる補強材とを備えたトラス構造とされており、
上記屋根材（２）が、上記各支柱材（１，１）の上端部を結ぶように直線状に延びる部材のみからなることを特徴とする、請求項１〜３のいずれかに記載の組立式テントの骨組。
【考案の詳細な説明】
【技術分野】
【０００１】
本願考案は、催事などの際に野外に設営されて日除けや雨除けとして用いられる組立式テントの骨組に関するものである。
【背景技術】
【０００２】
【特許文献１】特開２００１−３０３８００号公報
【０００３】
鉄パイプなどのパイプ材が組み合わされてなる組立式テントは周知である。この組立式テントの骨組の一例として、本願の出願人による特許文献１に記載の発明がある。
【０００４】
この発明に係る組立式テントの骨組は、図１４に示す構造が例示できる。つまり、前面側及び後面側のそれぞれに３本ずつ支柱１０１が配置されており、これら各支柱１０１の上端部間は横梁１０２によって前後左右に相互に連結され、各支柱１０１の上端部から前後方向斜め上方に延長する傾斜梁１０３と、これら傾斜梁１０３が連結された頂点をそれぞれ左右方向に連結する屋根頂部骨部材１０４によって切妻形式の屋根部が構成されたものである。
【０００５】
上記の組立式テントの骨組は、３つの構成部分Ａ〜Ｃから構成されている。それぞれの構成部分は、上記の支柱１０１、横梁１０２、傾斜梁１０３の各々がヒンジ１０５が設けられて回動可能に接続されたことにより折り畳み自在とされており、上記３つの構成部分Ａ〜Ｃを相互に連結することで全体の骨組を完成させることができる。
【考案の開示】
【考案が解決しようとする課題】
【０００６】
この特許文献１に係る組立式テントの骨組は、容易に設営・撤収を行うことができ、しかも上記構成部分ごとに一まとめに折り畳むことができるものであり、大変優れたものである。しかしながら、この骨組は上記のように支柱１０１、横梁１０２、傾斜梁１０３、屋根頂部骨部材１０４の各々の接続部分に、接続の手段としては比較的高価であるヒンジ１０５が設けられたものであるため、製造コストを低下させることが困難であった。
【０００７】
本願考案は上記のことに鑑み、製造コストを低下させることができるものでありながら、容易に設営・撤収を行うことができるという利便性を損なうことがない組立式テントの骨組を提供することを課題とする。
【課題を解決するための手段】
【０００８】
上記課題を解決するために、本願の請求項１に係る考案は、パイプ材が組み合わされてなる組立式テントの骨組において、少なくとも支柱材１、屋根材２、連結材３を備えており、支柱材１はテント設営状態にて垂直方向に延びるものであり、屋根材２は組立式テントの天幕を支持するものであり、平行に設けられた２本の上記支柱材１，１と、これら各支柱材のテント設営状態における上端部を結ぶ上記屋根材２とが同一平面内で組み合わされた門状部Ｇが構成されており、この門状部Ｇにおける、上記支柱材１と上記屋根材２との間に回動ジョイント部Ｊａが設けられたことにより、上記支柱材１と上記屋根材２とを重ね合わせるようにこの門状部Ｇを折り畳むことができ、上記回動ジョイント部Ｊａは、上記支柱材１と上記屋根材２とを上記同一平面内にて回動可能に接続するものであり、上記支柱材１は、上記回動ジョイント部Ｊａにより、折り畳み状態からテント設営状態に至るまでに、少なくとも水平方向から垂直方向へと方向を転換することができ、上記連結材３はテント設営状態で上記門状部Ｇに接続されて、平行に設けられた複数の門状部Ｇ〜Ｇ同士の間隔を保つもので、水平方向に延びるように設けられたものであり、上記門状部Ｇには門状部側接続部Ｇ１が設けられ、上記連結材３には連結材側接続部３１ｂが設けられており、上記各接続部Ｇ１，３１ｂ同士が着脱可能とされており、上記各接続部Ｇ１，３１ｂには、上記連結材側接続部３１ｂが上記門状部側接続部Ｇ１に取り付けられた状態で抜けないようにするための抜け止め部が設けられており、上記門状部Ｇと上記連結材３とが接続された際には、上記各接続部Ｇ１，３１ｂ同士が相対的に水平・垂直方向へと移動不能とされており、この際、上記屋根材２をテントの設置面から持ち上げることにより、上記支柱材１がその自重で上記折り畳み状態における位置から垂直方向を向くように回動することを特徴とする、組立式テントの骨組を提供する。
【０００９】
また、本願の請求項２に係る考案は、上記門状部側接続部Ｇ１が、上記門状部Ｇと一体とされており、テント設営状態で上下方向あるいは斜め方向に延びるように設けられた筒状の部分であって、少なくとも同状態での上端部が開口部Ｇ１１とされており、上記連結材側接続部３１ｂが、上記連結材３の、テント設営状態にて水平方向に延びるように配置される梁部分３１ａの両端部に、この梁部分３１ａに対して直交するように設けられた部分であり、この連結材側接続部３１ｂが上記開口部Ｇ１１から上記門状部側接続部Ｇ１に差込可能とされたことを特徴とする、請求項１に記載の組立式テントの骨組を提供する。
【００１０】
また、本願の請求項３に係る考案は、上記門状部側接続部Ｇ１が円筒状体であり、上記連結材側接続部３１ｂが円形断面を有するものであって、外径は上記門状部側接続部Ｇ１の内径よりも小さく、上記門状部側接続部Ｇ１は、上記円筒状体の延びる方向に沿うものであり、テント設営状態における上端部から下方あるいは斜め下方へと延びる門状部側スリットＧ１２を有し、この門状部側接続部Ｇ１の外周面に沿って回動可能とされた抜け止めリングＧ１３を備えており、上記抜け止めリングＧ１３には、テント設営状態における上端部から下端部へと貫通しており、上記門状部側スリットＧ１２の周方向寸法と同一か、あるいはそれよりも大きい周方向寸法を有するリング側スリットＧ１３１が設けられており、上記連結材側接続部３１ｂの側面には、上記門状部側スリットＧ１２よりも周方向における寸法が小さい係止用突起３１１が設けられており、上記係止用突起３１１の、上記連結材側接続部３１ｂの径方向中心からの突出寸法が、少なくとも、上記抜け止めリングＧ１３の外周面における半径寸法よりも大きいものであり、上記抜け止め部が、上記の門状部側スリットＧ１２、抜け止めリングＧ１３、係止用突起３１１の各々からなることを特徴とする、請求項２に記載の組立式テントの骨組を提供する。
【００１１】
また、本願の請求項４に係る考案は、上記屋根材２が、テント設営状態にて上記支柱材１の上端から斜め上方に延びる２本の屋根パイプ材２１，２１からなり、上記屋根パイプ材２１，２１同士の間に回動ジョイント部Ｊｂが設けられたことにより、上記屋根パイプ材２１，２１同士が上記同一平面内にて回動可能に接続されており、上記門状部側接続部Ｇ１は、各門状部Ｇにおける上記回動ジョイント部Ｊａと、上記屋根材２における上記回動ジョイント部Ｊｂとに設けられたものであり、上記連結材３が、上記支柱材１に設けられた門状部側接続部Ｇ１に対して取り付けられた下側連結材３ａと、上記屋根材２における回動ジョイント部Ｊｂに設けられた門状部側接続部Ｇ１に対して取り付けられた上側連結材３ｂとからなり、上記門状部Ｇに横梁材４が取り付けられたものであり、この横梁材４は、上記支柱材１に直交し、テント設営状態にある２本の上記支柱材１，１の各上端部を結ぶように配置されたものであり、上記支柱材１，１に対して回動可能に接続されており、門状部Ｇが折り畳まれた状態にて、上記支柱材１、屋根材２、横梁材４の各々が重ね合わされることを特徴とする、請求項１〜３のいずれかに記載の組立式テントの骨組を提供する。
【００１２】
また、本願の請求項５に係る考案は、上記門状部Ｇと横梁材４とは、上記回動ジョイント部Ｊａにて回動可能に接続されており、上記横梁材４には、当該横梁材４を構成するパイプ材を二つ折りできる回動ジョイント４４が設けられており、上記門状部Ｇが折り畳まれた状態にて、上記横梁材４もまた折り畳まれた状態となり、その際、重ね合わされた状態にある上記支柱材１、屋根材２、横梁材４の一群の一方側に上記門状部Ｇにおける回動ジョイント部Ｊａが配位され、同他方側に上記屋根材２における上記回動ジョイント部Ｊｂ及び上記横梁材４の回動ジョイント４４が配位されることを特徴とする、請求項４に記載の組立式テントの骨組を提供する。
【００１３】
また、本願の請求項６に係る考案は、上記屋根材２が、テント設営状態にて上記支柱材１の上端から斜め上方に延びる２本の屋根パイプ材２１，２１からなり、上記屋根パイプ材２１，２１同士の間に回動ジョイント部Ｊｂが設けられたことにより、上記屋根パイプ材２１，２１同士が上記同一平面内にて回動可能に接続されており、上記門状部側接続部Ｇ１は、各門状部Ｇにおける上記回動ジョイント部Ｊａと、上記屋根材２における上記回動ジョイント部Ｊｂとに設けられたものであり、上記連結材３が、上記支柱材１に設けられた門状部側接続部Ｇ１に対して取り付けられた下側連結材３ａと、上記屋根材２における回動ジョイント部Ｊｂに設けられた門状部側接続部Ｇ１に対して取り付けられた上側連結材３ｂとからなり、上記連結材３が、平行する２本のパイプ材３２，３２と、これら各パイプ材３２，３２を結び、各パイプ材３２，３２の延びる方向と交わる方向に延びる補強材３３とを備えたトラス構造とされており、上記門状部Ｇに横梁材４が取り付けられたものであり、この横梁材４は、上記支柱材１に直交し、テント設営状態にある２本の上記支柱材１，１の各上端部を結ぶように配置されたものであって、平行する２本のパイプ材４１，４１と、これら各パイプ材４１，４１を結び、各パイプ材４１，４１の延びる方向と交わる方向に延びる補強材４２とを備えたトラス構造とされており、上記門状部Ｇには門状部側接続部Ｇ１が設けられており、上記横梁材４には横梁材側接続部４３が設けられており、上記各接続部Ｇ１，４３同士は着脱可能とされており、上記門状部Ｇと上記横梁材４とが接続された際には上記各接続部Ｇ１，４３同士が相対的に水平・垂直方向へと移動不能とされたことを特徴とする、請求項１〜３のいずれかに記載の組立式テントの骨組を提供する。
【００１４】
また、本願の請求項７に係る考案は、上記門状部Ｇにおける一方側の支柱材１ａよりも他方側の支柱材１ｂの方が長く、上記門状部側接続部Ｇ１は、各門状部Ｇにおける上記回動ジョイント部Ｊａに設けられたものであり、上記連結材３が、上記短い方の支柱材１ａに設けられた門状部側接続部Ｇ１に対して取り付けられた下側連結材３ａと、上記長い方の支柱材１ｂに設けられた門状部側接続部Ｇ１に対して取り付けられた上側連結材３ｂとからなり、上記屋根材２及び連結材３ａ，３ｂの各々が、平行する２本のパイプ材と、これら各パイプ材を結び、各パイプ材の延びる方向と交わる方向に延びる補強材とを備えたトラス構造とされており、上記屋根材２が、上記各支柱材１，１の上端部を結ぶように直線状に延びる部材のみからなることを特徴とする、請求項１〜３のいずれかに記載の組立式テントの骨組を提供する。
【考案の効果】
【００１５】
本願考案は、支柱材１と屋根材２とを重ね合わせるように折り畳むことができる門状部Ｇを備えたものであること、そして、門状部Ｇに門状部側接続部Ｇ１が設けられ、連結材３に連結材側接続部３１ｂが設けられており、上記各接続部Ｇ１，３１ｂ同士が着脱可能とされており、上記門状部Ｇと上記連結材３とが接続された際には、上記各接続部Ｇ１，３１ｂ同士が相対的に水平・垂直方向へと移動不能とされたことにより、従来のように骨組をすべてヒンジで接続した構造に比べて、製造コストを低下させることができる。
【００１６】
そして、上記各接続部Ｇ１，３１ｂには、上記連結材側接続部３１ｂが上記門状部側接続部Ｇ１に取り付けられた状態で抜けないようにするための抜け止め部が設けられており、上記門状部Ｇと上記連結材３とが接続された際、上記屋根材２をテントの設置面から持ち上げることにより、上記支柱材１がその自重で上記折り畳み状態における位置から垂直方向を向くように回動する。これにより、抜け止め部が設けられていない骨組のように、設営者Ｐが必ずしも支柱材１を持って設営を行う必要がなく、連結材３を持って設営を行うことができる。そのため、上記のように製造コストを低下させることができたものでありながら、従来の骨組よりも少ない人員で、容易に設営・撤収作業を行うことができる。
【考案を実施するための最良の形態】
【００１７】
以下、図面に基づき本願考案の一実施例をとりあげて説明する。図１及び図２は本実施例に係る組立式テントの骨組を示し、図３は本実施例に係る接続部を示し、図４は本実施例に係る補強ブレス材を示している。図６は本実施例に係る組立式テントの支柱材を立ち上げる途中の状態を示している。図７〜図１３は本願考案の他の実施例を示す。
【００１８】
なお、組立式テントは骨組の屋根部分に軟質樹脂シートなどからなる天幕が掛けられて用いられるが、説明の都合上、上記各図においては天幕の図示を省略している。また、下記における「テント設営状態」とは、図１に示したように骨組を展開した状態を言う。
【００１９】
本実施例に係る組立式テントの骨組は、図１に示すようにパイプ材からなる支柱材１、屋根材２、連結材３を備えている。そして上記のうち支柱材１と屋根材２とにより門状部Ｇが構成される。
【００２０】
支柱材１は、図１に示すテント設営状態にて垂直方向に延びる部材であり、これにより、屋根材２及び連結材３をテント設置面から離した状態とすることができる。
【００２１】
この支柱材１は、下記の回動ジョイント部Ｊａにより、折り畳み状態（図２（Ｂ）参照）からテント設営状態に至るまでに、少なくとも水平方向から垂直方向へと延びる方向を転換することができる。
【００２２】
屋根材２は、下記の連結材３とともに天幕を下方から支持するものである。本実施例に係る屋根材２は、図１に示すように、テント設営状態にて支柱材１の上端から斜め上方に延びる２本の屋根パイプ材２１，２１からなっている。そして、これら各屋根パイプ材２１，２１同士の間に回動ジョイント部Ｊｂが設けられたことにより、屋根パイプ材２１，２１同士が門状部Ｇが構成された同一平面内にて回動可能に接続されている。
【００２３】
門状部Ｇは、平行に設けられた２本の支柱材１，１と、これら各支柱材のテント設営状態における上端部を結ぶ屋根材２とが同一平面内で組み合わされたものである。
【００２４】
この門状部Ｇにおける、支柱材１と屋根材２との間には回動ジョイント部Ｊａが設けられている。本実施例における回動ジョイント部Ｊａは、一組の門状部Ｇにおける支柱材１の端部と屋根材２の端部とをそれぞれ径方向に貫通する、平行な関係にある軸を有することにより、上記支柱材１と上記屋根材２とが、門状部Ｇが構成された同一平面内にて回動可能に接続されている。これにより、図２（Ｂ）に示すように、支柱材１と屋根材２とを重ね合わせるようにして門状部Ｇを折り畳むことができる。なお、本実施例においては、この回動ジョイント部Ｊａに、後述する横梁材４も回動可能に取り付けられている。
【００２５】
門状部Ｇの形態は、テントの妻面側から見た場合に対称形となるいわゆる両流れタイプ（図１及び図７〜１０参照）や、同非対称となるいわゆる片流れタイプ（図１２及び図１３参照）が例示できるが、支柱材１，１に長短を設けることや、異なる長さの屋根パイプ材２１，２１を組み合わせることにより、種々の形態で実施し得る。
【００２６】
なお、本実施例の骨組を構成するパイプ材には直線状に延びる直管が用いられているが、これに限らず、湾曲させたり屈曲させたパイプ材が用いられても良い。
【００２７】
連結材３は、図２に示すように、テント設営状態で上記の門状部Ｇに接続されて、図１に示すように、平行に設けられた複数の門状部Ｇ〜Ｇ同士の間隔を保つもので、水平方向に延びるように設けられたものである。本実施例の連結材３には回動ジョイント３４が設けられたことにより、図２（Ｃ）に示すようにコンパクトに二つ折りすることができる。そのため、トラックに積載するなどして行う運搬作業を楽に行うことができる。
【００２８】
上記門状部Ｇと連結材３との接続のために、門状部Ｇには門状部側接続部Ｇ１が設けられ、連結材３には連結材側接続部３１ｂが設けられており、これらの接続部Ｇ１，３１ｂ同士が着脱可能とされている。本実施例では、上記各接続部Ｇ１，３１ｂの着脱のための手段が後述のように差込式とされており、従来（特許文献１参照）のようにすべてヒンジで接続されたものではない。よって、骨組をすべてヒンジで接続した構造に比べて、製造コストを低下させることができる。
【００２９】
そして、各接続部Ｇ１，３１ｂには、上記の連結材側接続部３１ｂが門状部側接続部Ｇ１に取り付けられた状態で抜けないようにするための抜け止め部が設けられており、門状部Ｇと連結材３とが接続された際には、上記各接続部Ｇ１，３１ｂ同士が相対的に水平・垂直方向へと移動不能とされている。このことに関し、特に下側連結材３ａについては、垂直方向へと移動不能とされたことにより、連結材３が支柱材１から外れないようにでき、図６に示すように、設営者Ｐが下側連結材３ａをつかみ、屋根材２をテントの設置面から持ち上げることにより、支柱材１が自重で上記折り畳み状態における位置から垂直方向を向くように回動するようにできる。
【００３０】
本願考案の抜け止め部は、後述のように、門状部側スリットＧ１２、抜け止めリングＧ１３、係止用突起３１１の各々からなるものであるが、これに限定されるものではなく、例えば各接続部Ｇ１，３１ｂを貫通するピンやボルトなどによって両者を固定したり、各接続部Ｇ１，３１ｂにまたがるクランプ部材を設けて両者を固定しても良い。
【００３１】
ここで、パイプ材が組み合わされた組立式テントの骨組であって、上記のような抜け止め部が設けられていないものは存在していたが、そのような骨組にあっては、本実施例の連結材３に相当する部材を設営者がつかみ、骨組を持ち上げようとすると、この部材が抜けてしまうことがあり危険であった。そのため、設営者は支柱材を持ってテントの設営を行う必要があった。つまり、図１に示すような片側に支柱材が３本存在するテントでは、３人の設営者が必要であった。これに対し、本実施例の骨組では、上記のように２人の設営者Ｐが連結材３を持つことで確実に設営を行うことができる。そのため、テントの設営作業が従来よりも容易である。
【００３２】
本実施例における門状部側接続部Ｇ１は、上記の門状部Ｇと一体とされており、テント設営状態で上下方向あるいは斜め方向に延びるように設けられた筒状の部分である。具体的に、門状部Ｇと下側連結材３ａとの関係においては、図３に示すように、この門状部側接続部Ｇ１が円筒状体とされており、回動ジョイント部Ｊａに取り付けられている。この門状部側接続部Ｇ１の上端部が開口部Ｇ１１とされている。
【００３３】
そして、本実施例における連結材側接続部３１ｂは、テント設営状態にて水平方向に延びるように配置される梁部分３１ａの両端部に、この梁部分３１ａに対して直交するように設けられた部分である。具体的に、門状部Ｇと下側連結材３ａとの関係においては、図２に示すように、テント設営状態で上下方向に延びるように設けられた部分である。そして、連結材側接続部３１ｂが円形断面を有するものであって、外径は門状部側接続部Ｇ１の内径よりも小さい。これにより、この連結材側接続部３１ｂが開口部Ｇ１１から門状部側接続部Ｇ１に差込可能とされている。
【００３４】
本実施例の連結材側接続部３１ｂは、直管状であるパイプ状体の端部に、直角に折り曲げられた短管が差し込まれ、ピンなどを貫通させて両者が固定されたものとされているが、端部が直角に折り曲げられた１本のパイプ状体からなるものであっても良く、種々の形態にて実施できる。
【００３５】
次に、抜け止め部の具体的構成について説明する。本実施例における門状部側接続部Ｇ１は、図３に示すように門状部側スリットＧ１２を有している。この門状部側スリットＧ１２は、門状部側接続部Ｇ１が取り付けられた回動ジョイント部Ｊａの径方向における反対側に、門状部側接続部Ｇ１の延びる方向に沿って設けられている。つまり、この門状部側スリットＧ１２は、回動ジョイント部Ｊａにおいては、テント設営状態において上端部から下方へと延びるものである。本実施例の門状部側スリットＧ１２は、幅（周）方向寸法が一定であって、門状部側接続部Ｇ１の下端までは達することなく途中で止まっているが、上端から下端まで貫通するものであっても良い。
【００３６】
そして、この門状部側接続部Ｇ１の外周面に沿って、上記門状部側スリットＧ１２の延びる方向に対する直交面内にて回動可能とされた抜け止めリングＧ１３を備えている。この抜け止めリングＧ１３には、門状部側接続部Ｇ１の延びる方向に沿って設けられ、上端部から下端部へと貫通しており、上記の門状部側スリットＧ１２の幅（周）方向寸法と同一か、あるいはそれよりも大きい幅（周）方向寸法を有するリング側スリットＧ１３１が設けられている。
【００３７】
一方、連結材側接続部３１ｂの側面には、上記の門状部側スリットＧ１２よりも幅（周）方向における寸法が小さい係止用突起３１１が設けられている。本実施例の連結材３では、図２に示すように両端が折り曲げられて連結材側接続部３１ｂ，３１ｂが形成されているが、この係止用突起３１１は、テント設営時にテントの外側方向を向くように設けられている。
【００３８】
この係止用突起３１１は、連結材側接続部３１ｂの径方向中心からの突出寸法が、少なくとも、抜け止めリングＧ１３の外周面における半径寸法よりも大きいものとされている。これにより、係止用突起３１１の突端は必ず抜け止めリングＧ１３の外周面から突出する。
【００３９】
上記の門状部側スリットＧ１２、抜け止めリングＧ１３、係止用突起３１１の各々から抜け止め部が構成される。この抜け止め部の作用について順を追って説明する。まず、図３（Ａ）に示すように、門状部側スリットＧ１２と抜け止めリングＧ１３のリング側スリットＧ１３１の位置を合わせる。
【００４０】
なお、この際の門状部側スリットＧ１２とリング側スリットＧ１３１との位置合わせを容易にするために、例えば、抜け止めリングＧ１３の外周面に突起を設けておき、この突起が回動ジョイント部Ｊａの側面に当たるようにしておいても良い。これにより、いちいち目視せずとも、上記両者の位置合わせを容易に行うことができる。
【００４１】
次に、図３（Ｂ）に示すように、係止用突起３１１が門状部側スリットＧ１２から突出した状態でこの係止用突起３１１が門状部側スリットＧ１２の下端に当たるまで門状部側接続部Ｇ１に連結材側接続部３１ｂを挿入する。この際、係止用突起３１１の上方に抜け止めリングＧ１３が位置することとなる。そして、図３（Ｃ）に示すように、抜け止めリングＧ１３を回転させて門状部側スリットＧ１２と抜け止めリングＧ１３のリング側スリットＧ１３１の位置をずらせる。上記のように、係止用突起３１１の突端は必ず抜け止めリングＧ１３の外周面から突出しているため、係止用突起３１１が抜け止めリングＧ１３に引っ掛かる。そのため、連結材側接続部３１ｂは上方に抜けることなく、連結材３が門状部Ｇに固定される。
【００４２】
本実施例では上記のように、屋根材２を構成する２本の屋根パイプ材２１，２１の間に回動ジョイント部Ｊｂが設けられており、上記の門状部側接続部Ｇ１は、この回動ジョイント部Ｊｂにも設けられている。この門状部側接続部Ｇ１は、支柱材１と屋根材２との間に設けられた回動ジョイント部Ｊａに設けられたものと全く同じ構成のものであるが、図示のように屋根パイプ材２１，２１のうち一方に沿うように設けられることから、テント設営状態で斜め方向に延びるように設けられる。そして、この回動ジョイント部Ｊｂの門状部側接続部Ｇ１に接続される連結材側接続部３１ｂは、連結材３の両端部であってテント設営状態で斜め方向に延びるように設けられた部分となる。
【００４３】
本実施例に係る連結材３は、上記の回動ジョイント部Ｊａに設けられた門状部側接続部Ｇ１に対して取り付けられた下側連結材３ａと、屋根材２における回動ジョイント部Ｊｂに設けられた門状部側接続部Ｇ１に対して取り付けられた上側連結材３ｂとからなっている。
【００４４】
本実施例に係る連結材３では、下側連結材３ａと上側連結材３ｂとは全く同一のものが用いられており、部材の共通化がはかられている。そのため、骨組の管理が容易であり、また、各連結材３ａ，３ｂを取り違えて組み立てミスを起こしてしまうこともない。後述する引掛ブラケット３５は、補強ブレス材６を引掛けるために必要なものであるため、本来、下側連結材３ａでのみ使用されるが、このように部材が共通であるため、上側連結材３ｂにも設けられている。
【００４５】
また、本実施例に係る門状部Ｇには横梁材４が取り付けられている。この横梁材４は、支柱材１に直交し、テント設営状態にある２本の上記支柱材１，１の各上端部を結ぶように配置されたものである。このように門状部Ｇに横梁材４が取り付けられたことにより、門状部Ｇを展開した際における支柱材１，１の間隔を保持できる。また、屋根材２を構成する２本の屋根パイプ材２１，２１の角度を一定に保つことができる。
【００４６】
この横梁材４は、上記の屋根材２と同様、上記の回動ジョイント部Ｊａにおいて、支柱材１，１に対して、門状部Ｇが構成された同一平面内にて回動可能に接続されている。そして、この横梁材４の中央には、上記連結材３の回動ジョイント３４と同様の回動ジョイント４４が設けられており、この回動ジョイント４４にて横梁材４を二つ折りにし、コンパクトに折り畳むことができる。これにより、門状部Ｇが折り畳まれた状態にて、図２（Ｂ）に示すように、門状部４を構成する支柱材１及び屋根材２と、この横梁材４の各々を重ね合わせることができる。具体的にはこの際、図示のように、重ね合わされた状態にある上記支柱材１、屋根材２、横梁材４の一群の一方側（図示左端付近）に上記門状部Ｇにおける回動ジョイント部Ｊａが配位され、同他方側（図示右端付近）に上記屋根材２における上記回動ジョイント部Ｊｂ及び上記横梁材４の回動ジョイント４４が配位される。
【００４７】
支柱材１と連結材３との間、及び、支柱材１と横梁材４との間には補強ブレス材６が設けられている。この補強ブレス材６は、図４（Ａ）に示すような断面形状が長方形である棒状体（フラットバー）が用いられている。この補強ブレス材６の一端側には支柱取付孔６１が貫通して設けられており、図４（Ｂ）に示すように、支柱材１の側面に取り付けられた取付ブラケット１１にボルトやピンなどを貫通させることにより、この一端側が支柱材１に取り付けられる。また、補強ブレス材６の他端側は折り返し部分６２ａにて折り返されて、先端部６２ｂを有するフック部６２とされている。
【００４８】
この補強ブレス材６は、連結材３あるいは横梁材４の側面に一体に取り付けられた引掛ブラケット３５，４５に上記のフック部６２が引掛けられることにより、この他端側が連結材３あるいは横梁材４に取り付けられる。上記の引掛ブラケット３５，４５は、図４（Ｃ）に示すように、板状体に厚み方向の貫通穴である大寸穴３５ａ，４５ａと小寸穴３５ｂ，４５ｂとが連続して設けられたものである。大寸穴３５ａ，４５ａは上記フック部６２を通すことのできる大きさを有しており、小寸穴３５ｂ，４５ｂは上記フック部６２の折り返し部分６２ａを通すことができるが、先端部６２ｂを上記厚み方向に通すことができない大きさを有している。これにより、まず、先端部６２ｂを大寸穴３５ａ，４５ａに通し、折り返し部分６２ａを小寸穴３５ｂ，４５ｂへとずらせることで、図４（Ｃ）に示すように、連結材３あるいは横梁材４に補強ブレス材６を固定できる。
【００４９】
このようにして、各々が直交する関係にある支柱材１と連結材３との間、及び、支柱材１と横梁材４との間の各々に斜め方向に補強ブレス材６を取り付けることができるため、支柱材１が倒れ込んだり、連結材３と横梁材４とがひしゃげて各々が直交している関係がくずれてしまうことがなく、骨組の形態を維持できる。また、風などに耐える強度を骨組に持たせることができる。
【００５０】
次に、上記のように構成された、本実施例に係る組立式テントの骨組を設営する手順について説明する。当初の分解状態にあっては、門状部Ｇが横梁材４と共に図２（Ｂ）に示したように折り畳まれており、連結材３が図２（Ｃ）に示したように折り畳まれている。
【００５１】
図１に示すテントの骨組を組み立てるには、門状部Ｇ及び横梁材４の組み合わせが３組と連結材３が６本必要である。なお、門状部Ｇについては、妻部分に配置されるものと中央部分に配置されるものとで、門状部側接続部Ｇ１の形態が異なっている。
【００５２】
まず、門状部Ｇ及び横梁材４を展開する。この時点では、支柱材１はまだ畳まれた状態のままにしておく。具体的には、図５に示すように、テントの設置面に置いた状態で支柱材１が水平方向を向いた状態としておき、屋根材２と横梁材４だけを広げる。そして、別途連結材３を広げておく。
【００５３】
次に、上記の状態とした門状部Ｇ及び横梁材４の組み合わせを３組平行に並べる。そして、門状部Ｇの門状部側接続部Ｇ１に連結材３の連結材側接続部３１ｂを、図５に矢印で示したように上方から挿入する。次に、図３（Ｃ）に示すように、抜け止めリングＧ１３を回転させて連結材側接続部３１ｂが門状部側接続部Ｇ１から抜けないようにする。なお、図示はしていないがこの時に屋根材２及び連結材３の上に天幕を取り付けておく。
【００５４】
その後、図６に示すように、二人の設営者Ｐが連結材３（下側連結材３ａ）をつかんで持ち上げることにより、支柱材１がその自重で上記水平方向を向いた状態から垂直方向を向くように自然に回動する。一方の支柱材１〜１が立ち上がった後に、反対側に二人の設営者Ｐが移動して、上記と同要領で反対側の支柱材１〜１を立ち上げる。最後に、連結材３あるいは横梁材４に補強ブレス材６を、図４（Ｂ）に示すように固定して、図１に示す設営状態とする。なお、骨組を撤収する際には、上記と逆の手順で行えば良い。
【００５５】
このように、上記のように製造コストを低下させることができたものでありながら、従来の骨組よりも少ない人員（従来このタイプの骨組では最低３人の設営者が必要であった）で、容易に設営・撤収作業を行うことができる。
【００５６】
次に、本願発明の他の実施例について説明する。図７（Ａ）に示した実施例の骨組は、基本的な構成は図１に示した骨組と同一であるが、支柱材１を４本とし、連結材３をトラス構造を有するものに置き換えたものである。この連結材３におけるトラス構造とは、平行する２本のパイプ材３２，３２と、これら各パイプ材３２，３２を結び、各パイプ材３２，３２の延びる方向と交わる方向に延びる補強材３３とを備えた構造であり、図１に示した１本のパイプ材からなる連結材３よりも、平行する２本のパイプ材３２，３２に各々交わる方向に外力がかかった際の曲げ強度が大きい。そのため、支柱材１のスパンを拡大することができ、テント内の空間を広く使用することができる。
【００５７】
この連結材３においても回動ジョイント３４，３４が設けられており、図７（Ｃ）に示すように、各々のパイプ材３２，３２を重ね合わせるようにしてコンパクトに折り畳むことができる。なお、門状部Ｇについては図７（Ｂ）に示すように折り畳まれる。
【００５８】
この実施例では、門状部Ｇが長手方向の両端にのみ設けられている。そのため、天幕を弛まないように支持するために、下側連結材３ａと上側連結材３ｂとの間に天幕支持用補強材５が取り付けられる。この天幕支持用補強材５は、図１１に示すように、両端に引掛部５１が設けられており、この引掛部５１を各連結材３ａ，３ｂにおける上方側に配置されたパイプ材３２に引掛けることができる。
【００５９】
また上記のように、この実施例では支柱材１が４本とされているが、図７（Ａ）に示すように、下側連結材３ａに対して着脱可能な補助柱１ａを設けても良い。
【００６０】
図８及び図９に示した実施例の骨組は、図７に示した骨組における横梁材４についてもトラス構造を有するものに置き換えた例である。図８に示したものは門状部Ｇが二つ用いられたものであり、図９に示したものは門状部Ｇが三つ用いられたものである。この例の横梁材４におけるトラス構造は、上記連結材３の場合と同構造であり、平行する２本のパイプ材４１，４１と、これら各パイプ材４１，４１を結び、各パイプ材４１，４１の延びる方向と交わる方向に延びる補強材４２とを備えた構造である。この横梁材４においても回動ジョイント４４，４４が設けられており、各々のパイプ材４１，４１を重ね合わせるようにしてコンパクトに折り畳むことができる。この折り畳みの際、横梁材４は、図８上に矢印で示したように、門状部Ｇが形成された平面と直交する水平面内で回動する。そのため、この骨組における回動ジョイント部Ｊａは、上記横梁材４の水平面内での回動を許容できるようにされている。なおこの例では、連結材３と横梁材４との間に補強ブレス材７が設けられている。この補強ブレス材７は、上記天幕支持用補強材５と同様の構造で、両端に引掛部７１が設けられており、この引掛部７１が連結材３における上方側に配置されたパイプ材３２と横梁材４における上方側に配置されたパイプ材４１とに引掛けられる。
【００６１】
図１０に示した実施例の骨組は、図９に示した骨組において、三つ用いられた門状部Ｇのうち中間の一つにつき、横梁材４を省略したものである。このようにすることにより、テント内の空間に横梁材４が張り出すことがなく、一まとまりの広い空間を有するテントを提供できる。
【００６２】
図１１に示した骨組は、基本的な構成は図８に示した骨組と同一であるが、支柱材１と横梁材４との間の接続についても、上記の支柱材１と連結材３との間の接続と同様の構成とされたものである。つまり、門状部Ｇには門状部側接続部Ｇ１が設けられており、横梁材４には横梁材側接続部４３が設けられており、各接続部Ｇ１，４３同士は着脱可能とされており、門状部Ｇと横梁材４とが接続された際には上記各接続部Ｇ１，４３同士が相対的に水平・垂直方向へと移動不能とされている。
【００６３】
なお、この門状部Ｇと横梁材４との間の接続に関しての各接続部Ｇ１，４３においては、横梁材４を設営者Ｐが持って設営を行うことが通常ないため、門状部Ｇと連結材３との間の接続に関しての各接続部Ｇ１，３１ｂと異なり、上記の抜け止め部を特に設ける必要はない。
【００６４】
図１２及び図１３に示した実施例の骨組は、いわゆる片流れテントに用いられるものである。図１２に示したものは門状部Ｇが二つ用いられたものであり、図１３に示したものは門状部Ｇが三つ用いられたものである。この骨組では、門状部Ｇにおける一方側の支柱材１ａ（図示奥側）よりも他方側の支柱材１ｂ（図示手前側）の方が長いものとされている。そして、屋根材２が、門状部Ｇにおける各支柱材１，１の上端部を結ぶように直線状に延びる部材のみからなる。この実施例の屋根材２はトラス構造を有している。この例の屋根材２におけるトラス構造は、上記連結材３の場合と同構造であり、平行する２本の屋根屋根パイプ材２１，２１と、これら各屋根パイプ材２１，２１を結び、各屋根パイプ材２１，２１の延びる方向と交わる方向に延びる補強材２２とを備えた構造である。
【００６５】
上記に図示した例は本願考案の実施の一例にすぎず、テントの用途に最も適する種々の形態で実施可能である。
【図面の簡単な説明】
【００６６】
【図１】本実施例に係る組立式テントの骨組を示す斜視図である。
【図２】（Ａ）は本実施例に係る組立式テントの骨組を示す分解斜視図であり、（Ｂ）は折り畳まれた門状部及び横梁材を示す側面図であり、（Ｃ）は折り畳まれた連結材を示す側面図である。
【図３】（Ａ）〜（Ｃ）とも、本実施例に係る門状部側接続部及び連結材側接続部を示す斜視図である。
【図４】（Ａ）は本実施例に係る補強ブレス材を示す斜視図、（Ｂ）は本実施例に係る補強ブレス材の取り付け状態を示す要部斜視図、（Ｃ）は本実施例に係る引掛ブラケットを示す正面図である。
【図５】本実施例に係る組立式テントの骨組の設営途中の状態を示す斜視図である。
【図６】本実施例に係る組立式テントの骨組の設営途中の状態を示す斜視図である。
【図７】（Ａ）は本願考案の他の実施例に係る組立式テントの骨組を示す分解斜視図であり、（Ｂ）は折り畳まれた門状部及び横梁材を示す側面図であり、（Ｃ）は折り畳まれた連結材を示す側面図である。
【図８】本願考案の他の実施例に係る組立式テントの骨組を示す斜視図である。
【図９】本願考案の他の実施例に係る組立式テントの骨組を示す斜視図である。
【図１０】本願考案の他の実施例に係る組立式テントの骨組を示す斜視図である。
【図１１】本願考案の他の実施例に係る組立式テントの骨組を示す分解斜視図である。
【図１２】本願考案の他の実施例に係る組立式テントの骨組を示す斜視図である。
【図１３】本願考案の他の実施例に係る組立式テントの骨組を示す斜視図である。
【図１４】従来例に係る組立式テントの骨組を示す分解斜視図である。
【符号の説明】
【００６７】
１        支柱材
１ａ      短い方の支柱材
１ｂ      長い方の支柱材
２        屋根材
２１      屋根パイプ材
３        連結材
３ａ      下側連結材
３ｂ      上側連結材
３１ａ    梁部分
３１ｂ    連結材側接続部
３１１    係止用突起
３２      平行するパイプ材
３３      補強材
４        横梁材
４１      平行するパイプ材
４２      補強材
４３      横梁材側接続部
４４      回動ジョイント
５        天幕支持用補強材
Ｇ        門状部
Ｇ１      門状部側接続部
Ｇ１１    開口部
Ｇ１２    門状部側スリット
Ｇ１３    抜け止めリング
Ｇ１３１  リング側スリット
Ｊａ      回動ジョイント部
Ｊｂ      回動ジョイント部
【図１】
0003133911.tif 000003
【図２】
0003133911.tif 000004
【図３】
0003133911.tif 000005
【図４】
0003133911.tif 000006
【図５】
0003133911.tif 000007
【図６】
0003133911.tif 000008
【図７】
0003133911.tif 000009
【図８】
0003133911.tif 000010
【図９】
0003133911.tif 000011
【図１０】
0003133911.tif 000012
【図１１】
0003133911.tif 000013
【図１２】
0003133911.tif 000014
【図１３】
0003133911.tif 000015
【図１４】
0003133911.tif 000016